(57)【特許請求の範囲】
【請求項１】
筐体内に設けられ内部に撮影レンズ系を保持した鏡筒に、撮像素子を押圧して固定するためのものであって、
上記撮像素子を押圧する部位に曲げまたは絞りが設けられ、
上記撮像素子を押圧する部位以外の部位に上記筐体の内面に弾性接触させるための弾性部が形成された、金属薄板からなる取付部材を備え、
この取付部材を介して上記撮像素子で発生する熱を上記筐体に伝達し、
上記筐体の外面であって、上記取付部材の弾性部が弾性接触する上記筐体の内面に対向する位置に、熱伝導性の良好な熱伝導部材を配置し、
さらに、
上記熱伝導部材と接触する接触部と、
この接触部を介して上記筐体の熱を吸収する熱吸収体と、を有する上記筐体に着脱自在な熱吸収アダプタを備えたことを特徴とする撮像装置。
【請求項２】
筐体内に設けられ内部に撮影レンズ系を保持した鏡筒に、撮像素子を押圧して固定するためのものであって、
上記撮像素子を押圧する部位に曲げまたは絞りが設けられ、
上記撮像素子を押圧する部位以外の部位に上記筐体の内面に弾性接触させるための弾性部が形成された、金属薄板からなる取付部材を備え、
この取付部材を介して上記撮像素子で発生する熱を上記筐体に伝達し、
上記筐体に上記弾性部が筐体外に臨まされる開口部を設け、
上記開口部を介して上記弾性部と接触する接触部と、
この接触部を介して上記筐体の熱を吸収する熱吸収体と、を有する上記筐体に着脱自在な熱吸収アダプタを備えたことを特徴とする撮像装置。
【請求項３】
上記接触部に、所定の粘性を有する熱伝導流体を塗布自在な塗布面を設けたことを特徴とする請求項１または請求項２記載の撮像装置。
【請求項４】
上記塗布面に塗布される熱伝導流体は、オイルであることを特徴とする請求項３記載の撮像装置。
【発明の詳細な説明】
【０００１】
【発明の属する分野】
本発明は、撮像素子で発生する熱を効率よく放熱することのできる撮像装置に関する。
【０００２】
【従来の技術】
一般に、電子カメラやビデオカメラ等のような、撮像素子（以下、ＣＣＤと称す）で光電変換された画像信号を電子的に処理する撮像装置において、上記ＣＣＤは、鏡筒の基端側に設けられたＣＣＤ保持用の穴部に弾性部材を介して前面側から挿入され、後面が熱伝導性のあるアルミ等の剛性部材によって押圧された状態で固定される。そして、このＣＣＤの駆動時に発生する熱は、通常、上記剛性部材を介して放熱される。すなわち、この剛性部材は、上記撮像素子を鏡筒に固定する機能を有するとともに、上記撮像素子で発生する熱を放熱する機能を有する。このため上記剛性部材は、充分な熱容量を確保すべく、厚手の部材に形成されている。
【０００３】
しかし、このような撮像装置において、上記ＣＣＤを長時間駆動させた場合等には、発生する熱量が多くなり、充分な放熱を行うことが困難なことがあった。
【０００４】
これに対処し、撮像装置に搭載される撮像素子の放熱効率を向上するため、例えば、特開平５−３２８０１７号公報には、熱伝導性の高い弾性部材をＣＣＤ表面のカバーガラス面に対して押圧接触させ、この弾性部材によってＣＣＤの放熱性を確保する技術が開示されている。
【０００５】
また、特開平７−１５４６５８号公報には、ＣＣＤを実装した枠を鏡筒に固定し、ＣＣＤの実装されている反対側の面（光軸に垂直な面）に第１の伝導性ゴムを介して熱伝導板をＣＣＤ実装枠に固定し、熱伝導板の先端を曲げて外装面に対向する面（光軸に平行）を形成して、その面と外装面との間に第二熱伝導性ゴムを介して放熱させる技術が開示されている。
【０００６】
【発明が解決しようとする課題】
しかし、上記特開平５−３２８０１７号公報に記載の技術においては、ＣＣＤを鏡筒に固定するための剛性部材に加え、放熱用の弾性熱伝導板が必要となり、部品点数が増加する。また、鏡筒側へ弾性熱伝導板を組み込まなくてはならないため、組立作業工程も増加する。
【０００７】
また、上記特開平７−１５４６５８号公報に記載の技術においても、熱伝導性ゴムを必要とすることは、部品点数、組立作業工程等の増加を引き起こす。
【０００８】
さらに、上述の各技術において、放熱効果をより向上させるためには、熱伝導板等によって筐体等に伝達された熱を積極的に放熱させる構成も必要となる。
【０００９】
本発明は上記事情に鑑みてなされたもにであり、部品点数及び組立作業工程を増加させることなく簡単な構成で放熱効果を向上することのできる撮像装置を提供することを目的とする。
【００１０】
また、筐体に伝達された熱を積極的に放熱させる機構を備えた撮像装置を提供することを目的とする。
【００１１】
【課題を解決するための手段】
本発明の第１の撮像装置は、筐体内に設けられ内部に撮影レンズ系を保持した鏡筒に、撮像素子を押圧して固定するためのものであって、上記撮像素子を押圧する部位に曲げまたは絞りが設けられ、上記撮像素子を押圧する部位以外の部位に上記筐体の内面に弾性接触させるための弾性部が形成された、金属薄板からなる取付部材を備え、この取付部材を介して上記撮像素子で発生する熱を上記筐体に伝達し、上記筐体の外面であって、上記取付部材の弾性部が弾性接触する上記筐体の内面に対向する位置に、熱伝導性の良好な熱伝導部材を配置し、さらに、上記熱伝導部材と接触する接触部と、この接触部を介して上記筐体の熱を吸収する熱吸収体と、を有する上記筐体に着脱自在な熱吸収アダプタを備えたことを特徴とする。
【００１２】
また、本発明の第２の撮像装置は、筐体内に設けられ内部に撮影レンズ系を保持した鏡筒に、撮像素子を押圧して固定するためのものであって、上記撮像素子を押圧する部位に曲げまたは絞りが設けられ、上記撮像素子を押圧する部位以外の部位に上記筐体の内面に弾性接触させるための弾性部が形成された、金属薄板からなる取付部材を備え、この取付部材を介して上記撮像素子で発生する熱を上記筐体に伝達し、上記筐体に上記弾性部が筐体外に臨まされる開口部を設け、上記開口部を介して上記弾性部と接触する接触部と、この接触部を介して上記筐体の熱を吸収する熱吸収体と、を有する上記筐体に着脱自在な熱吸収アダプタを備えたことを特徴とする。
【００１３】
さらに、本発明の第３の撮像装置は、上記第１または第２の撮像装置において、上記接触部に、所定の粘性を有する熱伝導流体を塗布自在な塗布面を設けたことを特徴とする。
【００１４】
さらに、本発明の第４の撮像装置は、上記第３の撮像装置において、上記塗布面に塗布される熱伝導流体は、オイルであることを特徴とする。
【００１９】
【発明の実施の形態】
以下、図面を参照して本発明の実施の形態を説明する。図１乃至図６は本発明の第１の実施の形態に係わり、図１は電子カメラの要部を示す縦断面図、図２は取付部材の背面図、図３は他の取付部材の底面図、図４は他の取付部材の底面図、図５は他の取付部材の背面図、図６は図５のＶＩ−ＶＩ断面図、である。
【００２０】
図１において、符号１は、撮像装置の一例としての電子カメラの筐体２内に固定保持された鏡筒を示し、この鏡筒１の内部には、複数のレンズからなる撮影レンズ系３が保持されている。
【００２１】
この鏡筒１の基端側には、上記撮影レンズ系３が臨まされる位置に開口部１ａが設けられていて、この開口部１ａには、緩衝部材４が挿入され、さらに撮像素子５が挿入されている。
【００２２】
上記撮像素子５の裏面には、この撮像素子５を上記鏡筒１に固定するための取付部材６が当接されている。
【００２３】
ここで、上記取付部材６は、上記撮像素子５を押圧して上記鏡筒１に固定するための押圧部７と、この押圧部７の下方から延長されて筐体２の内面に弾性接触される弾性部８と、を有し、これらは熱伝導性の良好な例えばアルミやステンレス等からなる金属薄板で一体形成されている。その中でも熱伝導の点から、アルミがより望ましい。
【００２４】
図２に示すように、上記押圧部７には、上記撮像素子５の当接部に沿った上下位置に細長の長孔９が設けられ、また、この長孔９の近傍に複数のねじ孔１０が穿設されている。さらに、上記押圧部７の左右側及び上側の３辺は、後方に折曲され、該押圧部７の剛性を強化するための立曲部１１として形成されている。
【００２５】
また、上記弾性部８は、図１，図２に示すように、上記押圧部７と略同幅の短冊状の部材で構成され、この短冊状の部材が複数箇所で前方に折曲され、この折曲部によって、該短冊状部材の先端寄りに設けられた接触面８ａが、上記筐体２の内面に弾性接触自在となっている。
【００２６】
このように構成された上記取付部材６は、ねじ孔１０を介して、複数のねじ１３によって上記鏡筒１の基端面に固定されることにより、上記撮像素子５を開口部１ａに押圧した状態で鏡筒１に固定する。
【００２７】
このとき、上記撮像素子５の上下側縁に設けられた複数の端子５ａは、長孔９を介して後方に延出され、該撮像素子５で光電変換された電気信号の電子的な処理等を行う電気基板１４にはんだ付け等によって取り付けられる。
【００２８】
また、上記弾性部８の接触面８ａは、上記筐体２の内面に弾性接触されている。
【００２９】
また、上記筐体２には、上記弾性部８の接触面８ａが弾性接触される位置に対応して、例えばアルミ等で構成された熱伝導部材１５が埋設されている。この熱伝導部材１５は、上記筐体２の外部に露呈された放熱面１５ａを有し、この放熱面１５ａは上記筐体２の外面と同一面に形成されている。
【００３０】
このような電子カメラにおいて、撮影時等に撮像素子５で発生した熱は、該撮像素子５の背面に当接された取付部材６を介して筐体２に伝達され、さらに、上記筐体２に埋設された熱伝導部材１５に伝達される。そして、この熱伝導部材１５に伝達された熱は、放熱面１５ａを介して電子カメラ外部の大気中に拡散される。
【００３１】
このように、この撮像装置としての電子カメラは、撮像素子５を鏡筒１に固定する取付部材６を筐体２に弾性接触させ、この取付部材６を上記撮像素子５で発生する熱を筐体２に伝達する放熱用の部材として兼用したので、放熱用の新たな中間部材を介在させることなく上記撮像素子５の放熱を行うことができ、組立性の向上、及びコストの低減を図ることができる。
【００３２】
また、上記取付部材６を薄板で構成したので、該取付部材６を安価に製造することができる。この際、押圧部７に剛性強化部である立曲部１１を形成することで、強度を要する押圧部７と、弾性を要する弾性部８とを、一枚の薄板で一体形成することができる。
【００３３】
また、筐体２に熱伝導部材１５を設けたことにより、筐体２に伝達され蓄積された撮像素子５の熱を外部に放熱することができ、上記撮像素子５の放熱効果を向上することができる。
【００３４】
なお、本実施の形態で適用される取付部材は上記形状のものに限定されるものではなく、図２に示した弾性部８に代えて、例えば、複数の細長な弾性部１６を備えた取付部材６ａ（図３参照）や、単一の細長な弾性部１７を備えた取付部材６ｂ等を用いてもよい。
【００３５】
また、図２に示した押圧部７に代えて、例えば、図５，図６に示すように、撮像素子５が当接される面上に剛性強化部である複数の突状のリブ１９を絞り形成した押圧部１８を備えた取付部材６ｃを用いてもよい。この場合、図５に示すように、複数のリブ１９が互いに連結される部位の付近にねじ孔１０を設けることにより、撮像素子５を鏡筒１に対して強固に固定することができる。
【００３６】
次に、図７乃至図１０は、本発明の第２の実施の形態に係り、図７は熱吸収アダプタを取り付けた電子カメラの要部を正面から見た縦断面図、図８は熱吸収アダプタを取り付けた電子カメラの要部を側方から見た縦断面図、図９は他の電子カメラの筐体の要部を示す側方縦断面図、図１０は図９に示す筐体に熱吸収アダプタを取り付けた際の要部を示す側方縦断面図、である。
【００３７】
この実施の形態は、上述の第１の実施の形態で示した撮像装置に、さらに、熱吸収用のアダプタを設けたものである。なお、上述の第１の実施の形態と同様の構成については同符号を付して説明を省略する。
【００３８】
図７，図８に示すように、撮像素子５を鏡筒１に押圧して固定する取付部材６ｃの弾性部１７は、筐体２に弾性接触されている。
【００３９】
また、上記筐体２には、上記弾性部８の接触面８ａが弾性接触される位置に対応して、例えばアルミ等で構成された熱伝導部材１５が埋設されている。この熱伝導部材１５は、上記筐体２の外部に露呈された放熱面１５ａを有し、この放熱面１５ａは上記筐体２の外面と同一面に形成されている。なお、熱伝導部材１５のかわりに、後述する熱吸収体からなる材質で形成することも可能である。
【００４０】
図７，図８中、符号２０は、上記熱伝導部材１５に伝達された撮像素子５の熱を積極的に吸収すべく、上記筐体２の底面に対して着脱自在に形成された熱吸収アダプタである。
【００４１】
この熱吸収アダプタ２０は、上記熱伝導部材１５の放熱面１５ａに接触可能な接触部２１と、この接触部２１を介して伝達された熱を吸収し蓄積する大容量の熱吸収体２２と、を有し、これらは、例えば熱伝導性の良好なアルミ等により一体形成されている。
【００４２】
また、この熱吸収アダプタ２０は、ねじ部材２３を有し、このねじ部材２３によって上記筐体２に対して着脱自在となっている。
【００４３】
この熱吸収アダプタ２０が、例えば電子カメラで長時間撮影を行う際などに筐体２に取り付けられると、熱伝導部材１５に伝達された撮像素子５の熱は、該熱伝導部材１５の放熱面１５ａに接触された接触部２１を介して熱吸収体２２に伝達され、蓄積される。
【００４４】
上記熱吸収アダプタ２０の熱吸収体２２は、熱伝導性の良好な部材によって大容量に形成されているので、上記熱伝導部材１５に伝達された撮像素子５の熱を効率よく吸収することができ、上記撮像素子５の放熱効果がさらに向上する。
【００４５】
また、この実施の形態の変形例として、熱伝導部材を介さず、取付部材から直接、熱吸収アダプタへ撮像素子の熱を伝達させる構成としてもよい。
【００４６】
すなわち、このような変形例においては、図１０に示すように、筐体２の弾性部１７が弾性接触される部位に、該弾性部１７の接触面１７ａが筐体２外部に臨まされる開口部２５が設けられている。
【００４７】
また、熱吸収体２９に熱を伝達する接触部２８は、熱吸収アダプタ２７の筐体２との当接面よりも突出して形成されている。そして、この接触部２８は、上記開口部２５を介して筐体２内に挿入されると、上記弾性部１７の接触面１７ａと弾性接触自在となっている。
【００４８】
ここで、上記接触部２８の上記接触面１７ａと接触される部位には、所定の粘性を有するオイル等の熱伝導性が良好な流体を塗布自在な凹状の塗布面３０が設けられている。
【００４９】
また、図９に示すように、上記熱吸収アダプタ２７を筐体２に装着しない場合、上記開口部２５は蓋体２６によって閉塞されるようになっている。ここで、この蓋体２６を熱伝導性の良好な部材で構成することも可能である。
【００５０】
このような変形例によれば、開口部２５を介して、弾性部１７と吸熱アダプタ２７とを直接的に接触させることができるので、撮像素子５の放熱効果をさらに向上させることができる。
【００５１】
また、塗布面３０に熱伝導性の良好なオイル等を塗布することにより、上記弾性部１７と上記熱吸収アダプタ２７との間の熱伝導性を向上させることができ、撮像素子５の放熱効果をより向上させることができる。
【００５２】
なお、この変形例で示した、上記塗布面３０は、勿論、図７，図８に示した熱吸収アダプタ２０の接触部２１に設けることも可能である。
【００５３】
また、上述の第２の実施の形態において、上記熱吸収アダプタ２０，２７を、該熱吸収アダプタ２０，２７の底面に複数の脚部を設けることによって、電子カメラの三脚として兼用してもよい。
【００５４】
また、上述の本発明の第１，第２の実施の形態においては、撮像装置の一例として電子カメラを示したが、本発明による撮像装置は電子カメラに限定されるものではなく、例えば、ビデオカメラ、デジタル複写機、ファクシミリ、イメージスキャナ等の、筐体内に固定された鏡筒と、この鏡筒に固定される撮像素子とを備えた撮像装置であればよい。
【００５５】
【発明の効果】
以上、説明したように本発明によれば、取付部材を介して撮像素子の熱を筐体に伝達するので、部品点数及び組立作業工程を増加させることなく簡単な構成で撮像素子の放熱効果を向上することができる。
【００５６】
また、筐体に熱伝導部材、及び／あるいは、熱吸収アダプタを設けることにより、筐体に伝達された熱を積極的に放熱させることができ、撮像素子の放熱効果をさらに向上することができる。
【図面の簡単な説明】
【図１】図１乃至図６は本発明の第１の実施の形態に係わり、図１は電子カメラの要部を示す縦断面図、
【図２】取付部材の背面図、
【図３】他の取付部材の底面図、
【図４】他の取付部材の底面図、
【図５】他の取付部材の背面図、
【図６】図５のＶＩ−ＶＩ断面図、
【図７】図７乃至図１０は本発明の第２の実施の形態に係り、図７は熱吸収アダプタを取り付けた電子カメラの要部を正面から見た縦断面図、
【図８】熱吸収アダプタを取り付けた電子カメラの要部を側方から見た縦断面図、
【図９】他の電子カメラの筐体の要部を示す側方縦断面図、
【図１０】図９に示す筐体に熱吸収アダプタを取り付けた際の要部を示す側方縦断面図、
【符号の説明】
１      …      鏡筒
２      …      筐体
３      …      撮影レンズ系
５      …      撮像素子
６，６ａ，６ｂ，６ｃ      …      取付部材
７      …      押圧部
８      …      弾性部
１０    …      ねじ孔（締結部）
１１    …      立曲部（剛性強化部）
１５    …      熱伝導部材
１９    …      リブ（剛性強化部）
２０，２７    …      熱吸収アダプタ
２１，２８    …      接触部
２２，２９    …      熱吸収体
３０    …      塗布面
【図１】
0003557346.tif 000002
【図２】
0003557346.tif 000003
【図３】
0003557346.tif 000004
【図４】
0003557346.tif 000005
【図５】
0003557346.tif 000006
【図６】
0003557346.tif 000007
【図７】
0003557346.tif 000008
【図８】
0003557346.tif 000009
【図９】
0003557346.tif 000010
【図１０】
0003557346.tif 000011